(57)【要約】【課題】本発明は、ミスト機能付浴室暖房乾燥機に関するもので、ミスト運転後、本体内で微細化されなかった液体を乾燥する本体乾燥運転モードになる回数を削減することを目的とする。【解決手段】吸込口５と吹出し口６を結ぶ風路に設けて吸込んだ空気を加熱する加熱手段８および浴室１内の空気を循環する送風手段９と、この送風手段９と吹出し口５間の風路内に設けて吸込んだ空気を加湿する液体微細化手段１０と、吸込口５から吸込んだ空気を屋外へ排気する換気手段１１とを備え、制御部１８はミスト運転後に微細化されなかった液体を乾燥させる本体乾燥運転モードの回数を削減する本体乾燥運転免除手段２０を設けたことを特徴とするミスト機能付浴室暖房乾燥機を提供する。【選択図】図２
2014140552.tif 000002
【特許請求の範囲】
【請求項１】
浴室の空気を吸込む吸込口と吸込んだ空気を吹出す吹出し口を有する本体ケースと、この本体ケース内の前記吸込口と前記吹出し口を結ぶ風路に設けて吸込んだ空気を加熱する加熱手段および浴室内の空気を循環する送風手段と、この送風手段と前記吹出し口間の風路内に設けて吸込んだ空気を加湿する液体微細化手段と、吸込口から吸込んだ空気を屋外へ排気する換気手段と、前記液体微細化手段は、液体を供給する液体供給手段と、供給された液体を貯める貯水部と、貯水部の液体を吸上げ微細化する加湿ディスクと、前記加湿ディスクを回転させる回転手段と、加湿を行うことで温度低下した空気を再加熱する補助加熱手段と、ミスト運転時には前記加熱手段と送風手段と液体微細化手段を駆動して、浴室内をミストサウナ空間とし、乾燥運転時には前記加熱手段と送風手段と換気手段を駆動して、浴室内を暖め浴室内の水蒸気および水滴を空気中に含ませ、その空気を排気することで浴室内を乾燥および浴室内に干した衣類を乾燥させ、暖房運転時には前記加熱手段と送風手段を駆動して、浴室内を暖め、ミスト運転の停止時に連動して前記貯水部の残液を乾燥させる本体乾燥運転モードとして前記加熱手段と送風手段と回転手段と換気手段を駆動して、前記回転手段で加湿ディスクを回転することにより貯水部の残液を吸上げ微細化し、加熱手段および送風手段により暖められた浴室の空気中に含ませ、換気手段で排気することで本体乾燥を行う制御手段を設けた制御部を備えたミスト機能付浴室暖房乾燥機であって、前記制御部には、前記ミスト運転の停止時に前記本体乾燥運転モードに移行する前に乾燥運転または暖房運転が選択されたかどうかを判定する選択検知手段と、前記選択検知手段で乾燥運転または暖房運転が選択ことを判定した場合には、制御手段に対し、前記乾燥運転および暖房運転時に駆動する前記各駆動手段に追加して前記回転手段および補助加熱手段の駆動を指示する追加駆動指示手段を有して前記本体乾燥運転モードを行うことを免除する本体乾燥運転モード免除手段を備えたミスト機能付浴室暖房乾燥機。
【発明の詳細な説明】
【技術分野】
【０００１】
本発明は、浴室内を暖房、乾燥、ミストサウナする機能を有するミスト機能付浴室暖房乾燥機に関するものである。
【背景技術】
【０００２】
例えば、ミストサウナ付浴室暖房乾燥機の液体微細化装置を乾燥する構成は、次のような構成となっていた。
【０００３】
すなわち、吸込口と排気口を有する本体ケースと、この本体ケース内の前記吸込口と前記排気口を結ぶ風路に設けた加熱手段および送風手段と、この送風手段と前記排気口間の風路内に設けた液体微細化手段と、この液体微細化手段と加熱手段および送風手段を制御する制御手段を備え、前記液体微細化手段は、垂直方向に配置され、上方開口部および下方開口部を有する筒状の経路と、この筒状の経路内に設けた回転手段と、この回転手段に液体を供給する液体供給手段と、前記筒状の経路の下部に設けた貯水部とを有し、前記回転手段は、上下方向に向けて配置した回転軸と、この回転軸を回転させる回転モータと、前記回転軸に固定されるとともに前記貯水部から水を吸上げる揚水管と、この揚水管の外面の、前記回転軸の軸方向に所定間隔で固定された複数の回転板とを有し、前記液体供給手段は、液体を移送する給水管と、この給水管途中に配した給水弁とを有し、前記送風手段は、羽根車とこの羽根車を回転させるファンモータと、前記羽根車を内包するファンケーシングとを有し、前記制御手段は、前記液体供給手段から前記上方の回転板上への液体供給と、前記回転モータの回転と、前記加熱手段および前記送風手段の運転とを制御する制御部を有し、この制御部は、図６に示すとおり前記給水弁による液体供給停止時に、前記貯水部の残水を乾燥させる本体乾燥運転モードを必ず行う構成となっていた（例えば特許文献１参照）。
【先行技術文献】
【特許文献】
【０００４】
【特許文献１】特開２０１２−０６６０４６号公報
【発明の概要】
【発明が解決しようとする課題】
【０００５】
上記従来例で課題となるのは、ミスト運転後、給水弁による液体供給停止後に、貯水部の残水を乾燥させる本体乾燥運転モードを必ず行うため、光熱費を無駄に消費するという課題がある。
【０００６】
そこで本発明は、ミスト運転後に浴室を乾燥させる目的で乾燥運転および衣類を乾燥させる目的で乾燥運転を選択した場合、または、ミスト入浴を終了し暖房運転を選択した場合、乾燥運転および暖房運転と同時に本体乾燥を行い、光熱費を無駄に消費することを解消する目的とするものである。
【課題を解決するための手段】
【０００７】
そして、この目的を達成するために本発明は、浴室の空気を吸込む吸込口と吸込んだ空気を吹出す吹出し口を有する本体ケースと、この本体ケース内の前記吸込口と前記吹出し口を結ぶ風路に設けて吸込んだ空気を加熱する加熱手段および浴室内の空気を循環する送風手段と、この送風手段と前記吹出し口間の風路内に設けて吸込んだ空気を加湿する液体微細化手段と、吸込口から吸込んだ空気を屋外へ排気する換気手段と、前記液体微細化手段は、液体を供給する液体供給手段と、供給された液体を貯める貯水部と、貯水部の液体を吸上げ微細化する加湿ディスクと、前記加湿ディスクを回転させる回転手段と、加湿を行うことで温度低下した空気を再加熱する補助加熱手段と、ミスト運転時には前記加熱手段と送風手段と液体微細化手段を駆動して、浴室内をミストサウナ空間とし、乾燥運転時には前記加熱手段と送風手段と換気手段を駆動して、浴室内を暖め浴室内の水蒸気および水滴を空気中に含ませ、その空気を排気することで浴室内を乾燥および浴室内に干した衣類を乾燥させ、暖房運転時には前記加熱手段と送風手段を駆動して、浴室内を暖め、ミスト運転の停止時に連動して前記貯水部の残液を乾燥させる本体乾燥運転モードとして前記加熱手段と送風手段と回転手段と換気手段を駆動して、前記回転手段で加湿ディスクを回転することにより貯水部の残液を吸上げ微細化し、加熱手段および送風手段により暖められた浴室の空気中に含ませ、換気手段で排気することで本体乾燥を行う制御手段を設けた制御部を備えたミスト機能付浴室暖房乾燥機であって、前記制御部には、前記ミスト運転の停止時に前記本体乾燥運転モードに移行する前に乾燥運転または暖房運転が選択されたかどうかを判定する選択検知手段と、前記選択検知手段で乾燥運転または暖房運転が選択ことを判定した場合には、制御手段に対し、前記乾燥運転および暖房運転時に駆動する前記各駆動手段に追加して前記回転手段および補助加熱手段の駆動を指示する追加駆動指示手段を有して前記本体乾燥運転モードを行うことを免除する本体乾燥運転モード免除手段を備えたことを特徴とするミスト機能付浴室暖房乾燥機により、上記目的を達成している。
【発明の効果】
【０００８】
以上のように、本発明は、ミスト運転の停止後で本体乾燥運転モードに移行する前に乾燥運転および暖房運転が選択された場合には、前記乾燥運転および暖房運転時の駆動手段に追加して前記回転手段および補助加熱手段を駆動して、回転手段で加湿ディスクを回転することにより貯水部の残液を吸上げ微細化し、加熱手段および送風手段により暖められた浴室の空気中に含ませ、加湿を行うことで温度低下した空気を再加熱し浴室内に吹出し同時に本体乾燥運転を行うことができる。
【０００９】
すなわち、ミスト運転の停止後に必ず行っていた本体乾燥運転モードになる回数を削減することができ、光熱費を無駄に消費することを解消することができる。
【図面の簡単な説明】
【００１０】
【図１】本ミスト機能付浴室暖房乾燥機の設置状況を示す図
【図２】同ミスト機能付浴室暖房乾燥機の構成図
【図３】同ミスト機能付浴室暖房乾燥機の制御部のブロック図
【図４】同ミスト機能付浴室暖房乾燥機の乾燥運転による本体乾燥運転免除のフローチャート
【図５】同ミスト機能付浴室暖房乾燥機の暖房運転による本体乾燥運転免除のフローチャート
【図６】従来の本体乾燥運転モードのフローチャート
【発明を実施するための形態】
【００１１】
本発明の請求項１記載のミスト機能付浴室暖房乾燥機は、浴室の空気を吸込む吸込口と吸込んだ空気を吹出す吹出し口を有する本体ケースと、この本体ケース内の前記吸込口と前記吹出し口を結ぶ風路に設けて吸込んだ空気を加熱する加熱手段および浴室内の空気を循環する送風手段と、この送風手段と前記吹出し口間の風路内に設けて吸込んだ空気を加湿する液体微細化手段と、吸込口から吸込んだ空気を屋外へ排気する換気手段と、前記液体微細化手段は、液体を供給する液体供給手段と、供給された液体を貯める貯水部と、貯水部の液体を吸上げ微細化する加湿ディスクと、前記加湿ディスクを回転させる回転手段と、加湿を行うことで温度低下した空気を再加熱する補助加熱手段と、ミスト運転時には前記加熱手段と送風手段と液体微細化手段を駆動して、浴室内をミストサウナ空間とし、乾燥運転時には前記加熱手段と送風手段と換気手段を駆動して、浴室内を暖め浴室内の水蒸気および水滴を空気中に含ませ、その空気を排気することで浴室内を乾燥および浴室内に干した衣類を乾燥させ、暖房運転時には前記加熱手段と送風手段を駆動して、浴室内を暖め、ミスト運転の停止時に連動して前記貯水部の残液を乾燥させる本体乾燥運転モードとして前記加熱手段と送風手段と回転手段と換気手段を駆動して、前記回転手段で加湿ディスクを回転することにより貯水部の残液を吸上げ微細化し、加熱手段および送風手段により暖められた浴室の空気中に含ませ、換気手段で排気することで本体乾燥を行う制御手段を設けた制御部を備えたミスト機能付浴室暖房乾燥機であって、前記制御部には、前記ミスト運転の停止時に前記本体乾燥運転モードに移行する前に乾燥運転または暖房運転が選択されたかどうかを判定する選択検知手段と、前記選択検知手段で乾燥運転または暖房運転が選択ことを判定した場合には、制御手段に対し、前記乾燥運転および暖房運転時に駆動する前記各駆動手段に追加して前記回転手段および補助加熱手段の駆動を指示する追加駆動指示手段を有して前記本体乾燥運転モードを行うことを免除する本体乾燥運転モード免除手段を備えたものである。
【００１２】
これにより、本体乾燥運転モード免除手段は、選択検知手段でミスト運転の停止後で本体乾燥運転モードに移行する前に乾燥運転または暖房運転が選択されたことを判定すると追加駆動指示手段は、前記乾燥運転時または暖房運転時に駆動する各駆動手段に追加して前記回転手段および補助加熱手段を駆動して、前記回転手段で加湿ディスクを回転することにより貯水部の残液を吸上げ微細化し、前記加熱手段および送風手段により暖められた浴室の空気中に含ませ、加湿を行うことで温度低下した空気を再加熱し浴室内に吹出すように制御手段に対して駆動指示を行なうことで同時に本体乾燥運転を行うことができるので、ミスト運転の停止時に連動する前記本体乾燥運転モードを行うことが免除できる。すなわち、ミスト運転の停止後に必ず行っていた本体乾燥運転モードになる回数を削減することができ、光熱費を無駄に消費することを解消することができる。
【００１３】
以下、本発明の実施の形態について、図面を参照しながら説明する。
【００１４】
（実施の形態１）
図１は、本発明を実施する浴室１の一例であり、浴室１の天井面２上にミスト機能付浴室暖房乾燥機３が設置される。以下、本実施の形態では、微細化する液体を水として説明する。
【００１５】
図２はミスト機能付浴室暖房乾燥機３の断面図を表している。
【００１６】
図２および図３において、ミスト機能付浴室暖房乾燥機３を構成する本体ケース４には、浴室１の空気を吸込む吸込口５と、吸込んだ空気を吹出す吹出し口６と、浴室１外へ排気する排気口７とが設けられている。
【００１７】
また、この本体ケース内の前記吸込口５と前記吹出し口６を結ぶ風路内に設けたて吸込んだ空気を加熱する加熱手段８例えば熱交換器および、加熱手段８の下流側に配置して浴室１内の空気を循環する送風手段９例えばファンモータと、この送風手段９と前記吹出し口６側の風路内に設けて送風された空気を加湿する液体微細化手段１０と、吸込口５から吸込んだ空気を屋外へ排気する換気手段１１例えばファンモータとを備えている。
【００１８】
前記液体微細化手段１０は、水を供給する液体供給手段１２例えば給水弁と、供給された水を貯める貯水部１３と、貯水部１３の水を吸上げ微細化する加湿ディスク１４と、前記加湿ディスク１４を回転させる回転手段１５例えばモータと、加湿を行うことで温度低下した空気を再加熱する補助加熱手段１６例えば熱交換器とを備えている。
【００１９】
ミスト機能付浴室暖房乾燥機３には、各運転および運転時間を設定する設定操作手段１７例えばワイヤレスおよびワイヤードリモコンを設けている。
【００２０】
制御部１８には、ミスト運転時には前記加熱手段８と送風手段９と液体微細化手段１０を駆動して、浴室１内をミストサウナ空間とし、  乾燥運転時には前記加熱手段８と送風手段９と換気手段１１を駆動して、浴室１内を暖め浴室１内の水蒸気および水滴を空気中に含ませ、その空気を屋外へ排気することで浴室１内を乾燥および浴室１内に干した衣類を乾燥させ、暖房運転時には前記加熱手段８と送風手段９を駆動して、浴室１内を暖め、ミスト運転の停止時には前記貯水部１３の水を乾燥させる本体乾燥運転モードとして前記加熱手段８と送風手段９と回転手段１５と換気手段１１を駆動して、回転手段１５で加湿ディスク１４を回転することにより貯水部１３の水を吸上げ微細化し、加熱手段８および送風手段９により暖められた浴室１の空気中に含ませ、換気手段１１で屋外へ排気することで本体乾燥を行う制御手段１９を備えている。
【００２１】
また、この制御部１８には、移行判定手段２１と選択検知手段２２と追加駆動指示手段２３を有した前記本体乾燥運転モードを行うことを免除する本体乾燥運転モード免除手段２０を備えている。
【００２２】
移行判定手段２１は、前記ミスト運転の停止時に前記ミスト運転の停止時に本体乾燥運転モードへ移行する時間を判定するものである。
【００２３】
また、選択検知手段２２は、前記本体乾燥運転モードに移行する前に乾燥運転または暖房運転が選択されたかどうかを判定するものである。
【００２４】
また、追加駆動指示手段２３は、選択検知手段２２で乾燥運転または暖房運転が選択ことを判定した場合には、制御手段１９に対し、前記乾燥運転または暖房運転時に駆動する前記各駆動手段（加熱手段８と送風手段９と換気手段１１を示す）に追加して前記回転手段１５および補助加熱手段１６の駆動を指示するものである。
【００２５】
以上の構成において、本実施の形態におけるミスト機能付浴室暖房乾燥機３の基本動作について、図４のフローチャートを参照しながら乾燥運転による本体乾燥モードの免除について説明する。
【００２６】
設定操作手段１７にて、ユーザーがミスト運転を開始すると同時にミスト運転の運転時間を設定し、ミスト運転を開始する（Ｓ１）。
【００２７】
ミスト運転時には前記加熱手段８と送風手段９と液体微細化手段１０を駆動することなる。液体微細化手段１０は、回転手段１５で加湿ディスク１４を回転することにより貯水部１３の水を吸上げ微細化し加湿を行うことで温度低下した空気を補助加熱手段１６で再加熱して（Ｓ２）、浴室１内に吹出し、浴室１内をミストサウナ空間とすることができる。
【００２８】
ミスト運転は、設定操作手段１７にて設定された運転時間（Ｓ３）または、ユーザーが設定操作手段１７にて停止を押した場合（Ｓ４）には前記加熱手段８と送風手段９と液体微細化手段１０を停止する（Ｓ５）。通常は、その後、本体乾燥運転モードに移行するまでに移行判定手段２１によって所定の時間が経過することを判定して（Ｓ６）、所定の時間が経過すれば、本体乾燥運転モードに連動して移行する。
【００２９】
所定時間は、例えば１時間、ユーザーがミスト入浴後も入浴続ける時間を想定した時間であれば良い。
【００３０】
本体乾燥運転時には前記加熱手段８と送風手段９と回転手段１５と換気手段１１を駆動して、回転手段１５で加湿ディスク１４を回転することにより貯水部１３の水を吸上げ微細化し、加熱手段８および送風手段９により暖められた浴室１の空気中に含ませ、換気手段１１で屋外へ排気することで本体乾燥を行い（Ｓ７）、１０分経過した後（Ｓ８）、前記加熱手段８と送風手段９と回転手段１５と換気手段１１を停止して（Ｓ９）本体乾燥運転モードが終了する（Ｓ１０）。
【００３１】
停止までの時間は、本体内が完全に乾燥する時間であれば良い。
【００３２】
本体乾燥モードに移行する前にユーザーが設定操作手段１７にて乾燥運転を開始した場合は、本体乾燥運転モード免除手段２０の選択検知手段２２がこれを判定して（Ｓ１１）、追加駆動指示手段２３は、通常の乾燥運転の駆動手段である加熱手段８と送風手段９と換気手段１１に追加して、回転手段１５および補助加熱手段１６を駆動するように制御手段１９に対して指示をすることになる。
【００３３】
そして制御手段１９は、回転手段１５で加湿ディスク１４を回転することにより貯水部１３の水を吸上げ微細化し、加熱手段８および送風手段９により暖められた空気中に含ませ、微細化した水を空気中に含ませることにより温度低下した空気を補助加熱手段１６で再加熱し浴室１内に吹出し、浴室１内を暖め浴室１内の水蒸気および水滴を空気中に含ませ、その空気を換気手段１１により排気口７から屋外へ排気することで浴室１内を乾燥および浴室１内に干した衣類を乾燥させると同時に本体乾燥を行い（Ｓ１２）、１０分間経過した後（Ｓ１３）、回転手段１５と補助加熱手段１６を停止し（Ｓ１４）、通常の乾燥運転へ移行する（Ｓ１５）。
【００３４】
本体乾燥の時間は、本体内が完全に乾燥する時間であれば良い。
【００３５】
この動作のポイントは本体乾燥運転モード免除手段２０の作用により、回転手段１５を駆動させ加湿ディスク１４を回転させ貯水部１３の水を吸上げ微細化することと、微細化された水により、熱量を奪われた浴室１の空気を補助加熱手段１６を駆動することにより再加熱して、通常の乾燥運転と差異のない乾燥能力を発揮することができることと、ミスト運転の停止時に連動して行っていた本体乾燥運転モードを免除できることにより、光熱費を無駄に消費することを解消することができる。
【００３６】
また、図５のフローチャートを参照しながら暖房運転による本体乾燥モードの免除について説明する。
【００３７】
設定操作手段１７にて、ユーザーがミスト運転を開始すると同時にミスト運転の運転時間を設定し、ミスト運転を開始する（Ｓ１６）。
【００３８】
ミスト運転時には前記加熱手段８と送風手段９と液体微細化手段１０を駆動することなる。液体微細化手段１０は、回転手段１５で加湿ディスク１４を回転することにより貯水部１３の水を吸上げ微細化し加湿を行うことで温度低下した空気を補助加熱手段１６で再加熱して（Ｓ１７）、浴室１内に吹出し、浴室１内をミストサウナ空間とすることができる。
【００３９】
ミスト運転は、設定操作手段１７にて設定された運転時間（Ｓ１８）または、ユーザーが設定操作手段１７にて停止を押した場合（Ｓ１９）には前記加熱手段８と送風手段９と液体微細化手段１０を停止する（Ｓ２０）。通常は、その後、本体乾燥運転モードに移行するまでに移行判定手段２１によって所定の時間が経過することを判定して（Ｓ２１）、所定の時間が経過すれば、本体乾燥運転モードに連動して移行する。
【００４０】
所定時間は、例えば１時間、ユーザーがミスト入浴後も入浴続ける時間を想定した時間であれば良い。
【００４１】
本体乾燥運転時には前記加熱手段８と送風手段９と回転手段１５と換気手段１１を駆動して、回転手段１５で加湿ディスク１４を回転することにより貯水部１３の水を吸上げ微細化し、加熱手段８および送風手段９により暖められた浴室１の空気中に含ませ、換気手段１１で屋外へ排気することで本体乾燥を行い（Ｓ２２）、１０分経過した後（Ｓ２３）、前記加熱手段８と送風手段９と回転手段１５と換気手段１１を停止して（Ｓ２４）本体乾燥運転モードが終了する（Ｓ２５）。
【００４２】
停止までの時間は、本体内が完全に乾燥する時間であれば良い。
【００４３】
本体乾燥モードに移行する前にユーザーが設定操作手段１７にて暖房運転を開始した場合は、本体乾燥運転モード免除手段１９は、選択検知手段２２がこれを判定して（Ｓ２６）、加熱手段８と送風手段９を駆動して通常の暖房運転を開始し（Ｓ２７）、浴室１の暖房を始める。そのとき、浴室温度検知手段２４例えばサーミスタにて、初期浴室温度を検知し３０℃未満の場合は（Ｓ２８）、浴室温度が初期浴室温度より１０℃上昇するまで通常の暖房運転を継続し、浴室温度が初期浴室温度より１０℃以上上昇した場合は（Ｓ２９）、追加駆動指示手段２３は、通常の暖房運転の駆動手段である加熱手段８と送風手段９に追加して、回転手段１５および補助加熱手段１６を駆動させるように制御手段１９に指示を出すこととなる。
【００４４】
初期浴室温度は、浴室１内の空気が水を多く含むことができる温度であれば良く、浴室温度上昇は、初期浴室温度に比べ浴室１内の空気が水をより多く含むことができる温度であれば良い。
【００４５】
また、初期浴室温度が３０℃を上回る場合は（Ｓ２８）、追加駆動指示手段２３は、通常の暖房運転の駆動手段である加熱手段８と送風手段９に追加して、回転手段１５および補助加熱手段１６を駆動させるように制御手段１９に指示を出すこととなる。
【００４６】
そして制御手段１９は、回転手段１５で加湿ディスク１４を回転することにより貯水部１３の水を吸上げ微細化し、加熱手段８および送風手段９により暖められた空気中に含ませ、微細化した水を空気中に含ませることにより温度低下した空気を補助加熱手段１６で再加熱し浴室１内に吹出し、浴室１内を暖め浴室１内の水蒸気および水滴を空気中に含ませ、浴室１に吹出すことで、浴室１内を暖めると同時に本体乾燥を行い（Ｓ３０）、１０分間経過した後（Ｓ３１）、回転手段１５と補助加熱手段１６を停止し（Ｓ３２）、通常の暖房運転へ移行する（Ｓ３３）。
【００４７】
本体乾燥の時間は、本体内が完全に乾燥する時間であれば良い。
【００４８】
この動作のポイントは本体乾燥運転モード免除手段１９が作用して、回転手段１５を駆動させ加湿ディスク１４を回転させ貯水部１３の水を吸上げ微細化することと、微細化された水により、熱量を奪われた浴室１の空気を補助加熱手段１６を駆動することにより再加熱して、通常の暖房運転と差異のない暖房能力を発揮することができることと、ミスト運転の停止時に連動して行っていた本体乾燥運転モードを免除できることにより、光熱費を無駄に消費することを解消することができる。
【産業上の利用可能性】
【００４９】
ミストサウナ装置、加湿装置、冷却装置、噴霧装置、洗浄装置、植物育成設備等への活用が期待される。また、水だけでなく、油や洗剤等のその他の液体の微細化設備にも利用することが可能である。
【符号の説明】
【００５０】
１    浴室
２    天井面
３    ミスト機能付浴室暖房乾燥機
４    本体ケース
５    吸込口
６    吹出し口
７    排気口
８    加熱手段
９    送風手段
１０  液体微細化手段
１１  換気手段
１２  液体供給手段
１３  貯水部
１４  加湿ディスク
１５  回転手段
１６  補助加熱手段
１７  設定操作手段
１８  制御部
１９  制御手段
２０  本体乾燥運転モード免除手段
２１  移行判定手段
２２  選択検知手段
２３  追加駆動指示手段
２４  浴室温度検知手段
【図１】
2014140552.tif 000003
【図２】
2014140552.tif 000004
【図３】
2014140552.tif 000005
【図４】
2014140552.tif 000006
【図５】
2014140552.tif 000007
【図６】
2014140552.tif 000008